(57)【要約】【課題】形状の異なるハンドルに共通して用いることができる節度感付与部材を提供する。【解決手段】節度感付与部材７０は、ハンドル１８に取り付けられて、ハンドル１８と一体回転する第１部材５０と、水栓本体に取り付けられる第２部材６０とを備える。第１部材５０及び第２部材６０には、互いに干渉することでハンドル１８の回転動作に抵抗を付与する抵抗部が設けられ、第１部材５０は、ハンドル１８において操作軸部４３が挿入される軸挿入部１８ｃと操作軸部４３との間に装着されて、ハンドル１８に付与された回転力を操作軸部４３に伝達するアダプタ部分５１と、抵抗部を構成する本体部分５２とが一体に設けられている。【選択図】図７
2019082063.tif 000002
【特許請求の範囲】
【請求項１】
水栓本体の操作軸部に取り付けられた回転操作式のハンドルの節度感付与部材であって、
前記ハンドルに取り付けられて、前記ハンドルと一体回転する第１部材と、
前記水栓本体に取り付けられる第２部材とを備え、
前記第１部材及び前記第２部材には、互いに干渉することで前記ハンドルの回転動作に抵抗を付与する抵抗部が設けられ、
前記第１部材は、前記ハンドルにおいて前記操作軸部が挿入される軸挿入部と前記操作軸部との間に装着されて、前記ハンドルに付与された回転力を前記操作軸部に伝達するアダプタ部分と、前記抵抗部を構成する本体部分とが一体に設けられていることを特徴とする節度感付与部材。
【請求項２】
前記第１部材の本体部分は、筒状に構成され、
前記第１部材の抵抗部は、前記本体部分の内周及び外周の少なくともいずれかに設けられている請求項１に記載の節度感付与部材。
【請求項３】
前記第１部材の抵抗部は、前記本体部分の軸方向に沿う溝部で構成されている請求項２に記載の節度感付与部材。
【請求項４】
請求項１〜３のいずれか一項に記載された節度感付与部材を備えた水栓。
【発明の詳細な説明】
【技術分野】
【０００１】
本発明は、節度感付与部材及び節度感付与部材を備えた水栓に関する。
【背景技術】
【０００２】
特許文献１には、回転操作式のハンドルを有する水栓について、ハンドルを操作した際に使用者にクリック感を伝えるための技術が記載されている。図１６（ａ）に示すように、特許文献１の水栓８０は、水栓本体８２と、水栓本体８２のスピンドル８２ａに連結されるハンドル８１とを備えている。水栓本体８２には、上記クリック感を伝えるための構成として、円板状のリテーナ８４が固定されている。図１６（ｂ）に示すように、リテーナ８４には、径方向外側に向かって山形状に曲がった板バネ８５が取り付けられている。また、ハンドル８１の下端には、リテーナ８４に係合するリング８３がハンドル８１と一体回転可能に固定されている。図１６（ｂ）に示すように、リング８３は、リテーナ８４の外周側に配置され、リング８３の内周には、径方向外側に窪んだ溝部８３ａが設けられている。ハンドル８１を所定の角度回転させた際に、リング８３の溝部８３ａに板バネ８５の頂点部８５ａが係合することによって、使用者にクリック感が伝わる。
【先行技術文献】
【特許文献】
【０００３】
【特許文献１】特開平０９−１１９５５９号公報
【発明の概要】
【発明が解決しようとする課題】
【０００４】
ところで、水栓のハンドルには、種類等に応じた様々な形状のものが存在する。そのため、特許文献１の技術を適用する場合、ハンドルの下端に固定できるように、ハンドルの形状に合ったリングをハンドルの形状毎にそれぞれ用意する必要がある。本発明は、こうした実情に鑑みてなされたものであり、その目的は、ハンドルの操作にクリック感等の節度感を付与する節度感付与部材に関して、形状の異なるハンドルにも共通して用いることができるようにすることにある。
【課題を解決するための手段】
【０００５】
上記課題を解決するための節度感付与部材は、水栓本体の操作軸部に取り付けられた回転操作式のハンドルの節度感付与部材であって、前記ハンドルに取り付けられて、前記ハンドルと一体回転する第１部材と、前記水栓本体に取り付けられる第２部材とを備え、前記第１部材及び前記第２部材には、互いに干渉することで前記ハンドルの回転動作に抵抗を付与する抵抗部が設けられ、前記第１部材は、前記ハンドルにおいて前記操作軸部が挿入される軸挿入部と前記操作軸部との間に装着されて、前記ハンドルに付与された回転力を前記操作軸部に伝達するアダプタ部分と、前記抵抗部を構成する本体部分とが一体に設けられていることを要旨とする。
【０００６】
上記構成においては、ハンドル側に設けられる第１部材について、抵抗部を構成する本体部を、ハンドルにおいて操作軸部が挿入される軸挿入部と操作軸部との間に装着されるアダプタ部分と一体に設けている。一般に、水栓の種類によってハンドルの形状が異なる場合であっても、軸挿入部と操作軸部との間に装着されるアダプタ部材（所謂、ハンドル金具）の形状は共通であることが多い。そのため、アダプタ部材の代わりに第１部材を装着することにより、アダプタ部材と同様に、形状の異なるハンドルにも第１部材を取付けることができる。したがって、形状の異なるハンドルにも共通して適用可能となる。
【０００７】
上記節度感付与部材について、前記第１部材の本体部分は、筒状に構成され、前記第１部材の抵抗部は、前記本体部分の内周及び外周の少なくともいずれかに設けられていることが好ましい。この構成によれば、本体部分の内周や外周における所定の位置に抵抗部を選択的に設けることができる。
【０００８】
上記節度感付与部材について、前記第１部材の抵抗部は、前記本体部分の軸方向に沿う溝部で構成されていることが好ましい。この構成によれば、ハンドルの回転方向に対して、溝部の延びる方向を直交させることができるため、抵抗部を一定の形状で繰り返し形成することが容易になる。
【０００９】
上記節度感付与部材を備えた水栓であることが好ましい。この構成によれば、上記節度感付与部材の機能を奏する水栓とすることができる。
【発明の効果】
【００１０】
本発明の節度感付与部材によれば、形状の異なるハンドルに共通して用いることができる。
【図面の簡単な説明】
【００１１】
【図１】本実施形態の水栓の斜視図。
【図２】図１の水栓における水栓本体の斜視図。
【図３】図１の水栓における水栓本体の分解斜視図。
【図４】本実施形態の切換弁の斜視図。
【図５】（ａ）は切換ハンドルの斜視図、（ｂ）は、切換ハンドルの別角度の斜視図、（ｃ）は、（ｂ）のｃ−ｃ線断面図と第１部材の断面図。
【図６】切換ハンドルと切換弁と節度感付与部材の分解斜視図。
【図７】切換ハンドルと切換弁と節度感付与部材の別角度の分解斜視図。
【図８】第１部材と第２部材とが係合した状態を示す端面図。
【図９】変更例の第１部材の正面図。
【図１０】別の変更例の第１部材の斜視図。
【図１１】（ａ）は、さらに別の変更例の第１部材の正面図、（ｂ）は、さらに別の変更例の第２部材の正面図。
【図１２】さらに別の変更例の第１部材と切換弁の斜視図。
【図１３】（ａ）は、さらに別の変更例の第１部材と第２部材の斜視図、（ｂ）は、さらに別の変更例の第１部材と第２部材の別角度の斜視図。
【図１４】さらに別の変更例の第１部材と第２部材の斜視図。
【図１５】さらに別の変更例の第１部材と第２部材の端面図。
【図１６】（ａ）は、従来技術の水栓の部分断面図、（ｂ）は、（ａ）のｂ−ｂ線断面図。
【発明を実施するための形態】
【００１２】
本発明の一実施形態を説明する。
図１〜３に示すように、水栓１０は、浴室内の台（デッキ）１１上に設置されている。水栓１０は、台１１の上面に配置された湯用配管１２及び水用配管１３に接続されて、湯用配管１２及び水用配管１３から供給された湯水が流れる金属製（例えば、銅合金製）のボデー２０と、ボデー２０を覆うカバー１９とを備えている。ボデー２０の背面側には、エルボ管１４を介してシャワー用のホース１５に接続される第１吐出口３０ａが設けられるとともに、ボデー２０の上部には、集中吐水用の吐水管１６に接続される第２吐出口３０ｂが設けられている。
【００１３】
図２に示すように、ボデー２０の一方の側部（図面の紙面左側の側部）の内部には、混合水の温度を調整する混合弁２１が収容されている。混合弁２１は、操作軸部４４がボデー２０及びカバー１９から露出した状態とされ、その操作軸部４４に対して、混合水の温度を調節する温調ハンドル１７が取り付けられている。
【００１４】
図３に示すように、ボデー２０の正面側の中央部分の内部には、第１吐出口３０ａ及び第２吐出口３０ｂからの吐止水を切り換える切換弁４０が収容されている。切換弁４０は、操作軸部４３（図４参照）がボデー２０及びカバー１９から露出した状態とされ、その操作軸部４３に対して、混合水の吐止水や流路の切り換えを行う切換ハンドル１８が取り付けられている。本実施形態においては、ボデー２０、混合弁２１、及び切換弁４０により水栓本体が構成される。
【００１５】
次に、切換弁４０の構成について説明する。
図４に示すように、切換弁４０は、筒状のケーシング４１を有する。ケーシング４１の内部には、ケーシング４１に対して相対回転することにより、第１吐出口３０ａ及び第２吐出口３０ｂからの吐止水が切り換わるように構成された弁体４２が収容されている。また、切換弁４０は、弁体４２を操作する操作軸部４３を備えている。操作軸部４３は、弁体４２と一体回転可能、且つケーシング４１に対して相対回転可能に構成されるとともに、その一部がケーシング４１の一端側から突出している。ケーシング４１から突出する操作軸部４３の一端側の外周面には、全周に亘り軸方向に延びる溝部４３ａが形成されている。この溝部４３ａは、切換ハンドル１８が取り付けられる取付部として機能する。また、操作軸部４３の一端側の端面には、軸方向に沿ってネジ孔４３ｂが設けられている。切換弁４０のケーシング４１における一端側の外周には、軸方向に延びる溝部４１ｂが形成されている。
【００１６】
次に、切換ハンドル１８の構成について説明する。
図５（ａ）、（ｂ）に示すように、切換ハンドル１８は、一端側に底壁１８ｄを有する筒状部１８ａと、筒状部１８ａの周面から突出するレバー１８ｂとを有する。そして、筒状部１８ａの内部には、他端側に開口する孔状の軸挿入部１８ｃが形成されている。この軸挿入部１８ｃは、断面形状が六角形状に構成されている。切換ハンドル１８の筒状部１８ａの底壁１８ｄの中央部には、図５（ｃ）に示すように、軸挿入部１８ｃに達する貫通孔１８ｅが設けられている。また、切換ハンドル１８の底壁１８ｄには、キャップ１８ｆが装着されている。
【００１７】
また、図５（ｃ）に示すように、筒状部１８ａの内部において、軸挿入部１８ｃの他端側の端部よりも他端側には、所定の収容空間Ｓが設けられている。すなわち、軸挿入部１８ｃの他端側の端部は、筒状部１８ａの他端側の端部よりも一端側に位置しており、筒状部１８ａの内部における他端側に収容空間Ｓとなる空間が形成されている。この収容空間Ｓは、後述する第１部材としての回転部材５０の本体部分５２を収容する空間として機能する。
【００１８】
次に、節度感付与部材７０の構成について説明する。
図６、７に示すように、水栓１０は、節度感付与部材７０を備え、節度感付与部材７０を介して切換弁４０と切換ハンドル１８とが接続されている。節度感付与部材７０は、切換ハンドル１８に取り付けられる第１部材としての回転部材５０と、切換弁４０に取り付けられる第２部材としての固定部材６０とから構成されている。
【００１９】
固定部材６０は、その内周側に操作軸部４３を挿通させる挿通孔を有する筒状部６１を有している。筒状部６１の内周には、切換弁４０のケーシング４１の一端側の外周に設けられた溝部４１ｂに嵌合する嵌合溝６１ｃが設けられるとともに、筒状部６１の一端側には、径方向内側に延びて挿通孔の径を部分的に小さくする係止部６２が設けられている。この係止部６２は、切換弁４０の操作軸部４３を挿通させることができる程度の大きさに構成されている。
【００２０】
また、固定部材６０は、筒状部６１の外周面から突出し、筒状部６１の周方向に沿って延びる延設部６１ａを有する。延設部６１ａの先端には、径方向外側に突出する凸部６１ｂが設けられている。延設部６１ａの先端は、筒状部６１の外周と間隔を置いて形成されていることにより、径方向からの力に対して弾性を有した状態となっている。この延設部６１ａは、筒状部６１の周方向における異なる２箇所に設けられている。
【００２１】
図６、７に示すように、回転部材５０は、切換ハンドル１８の軸挿入部１８ｃに挿入される筒状のアダプタ部分５１と、アダプタ部分５１の他端側に一体に設けられ、アダプタ部分５１と同軸上、且つアダプタ部分５１よりも径が大きく構成された筒状の本体部分５２とを有する。ここで、「一体に設けられ」とは、アダプタ部分５１と本体部分５２とが一体に成形された態様を意味するとともに、アダプタ部分５１と本体部分５２とが接着剤によって接合された態様や、アダプタ部分５１と本体部分５２とが互いに係合した状態で接続された態様を含むものとする。アダプタ部分５１の外形は、横断面六角形状になっており、切換ハンドル１８の軸挿入部１８ｃに挿入した状態において、軸挿入部１８ｃに嵌合して、切換ハンドル１８と回転部材５０とが一体回転可能となるように構成されている。また、アダプタ部分５１の内径は、切換弁４０の操作軸部４３を挿通可能な大きさであるとともに、図５（ｃ）に示すように、アダプタ部分５１の内周には、操作軸部４３の一端側の外周に設けられた溝部４３ａに嵌合する嵌合溝５１ａが形成されている。
【００２２】
本体部分５２は、その外径が、切換ハンドル１８の筒状部１８ａの内周よりも小径となるように形成されるとともに、その内径が、固定部材６０の延設部６１ａの凸部６１ｂにおける外径よりも僅かに小さくなるように形成されている。また、回転部材５０の本体部分５２の内周には、軸方向に延びる三角溝状の干渉溝５２ａが全周に亘って複数、設けられている。
【００２３】
次に、節度感付与部材７０を介した切換弁４０と切換ハンドル１８の接続構成について説明する。
図６、７に示すように、まず、切換ハンドル１８の軸挿入部１８ｃに、回転部材５０のアダプタ部分５１を挿入することにより、切換ハンドル１８に対して回転部材５０が一体回転可能に取り付けられる。この際、図５（ｃ）に示すように、回転部材５０の本体部分５２は、大部分が切換ハンドル１８の収容空間Ｓ内に収容された状態となる。
【００２４】
また、固定部材６０の筒状部６１の挿通孔に切換弁４０の操作軸部４３を挿入することにより、切換弁４０のケーシング４１の外周に対して固定部材６０が取り付けられる。このとき、切換弁４０のケーシング４１の外周に設けられた溝部４１ｂと、固定部材６０の筒状部の内周に設けられた嵌合溝６１ｃとが嵌合するとともに、固定部材６０の係止部６２が、切換弁４０のケーシング４１の一端側の端面４１ａに当接することにより、固定部材６０は、切換弁４０のケーシング４１に対して相対回転不能に固定される。
【００２５】
次に、切換ハンドル１８に取り付けられた回転部材５０のアダプタ部分５１に、固定部材６０が取り付けられた切換弁４０の操作軸部４３を挿入することにより、回転部材５０を介して、切換弁４０の操作軸部４３に対して切換ハンドル１８が取り付けられる。このとき、切換弁４０の操作軸部４３の外周に設けられた溝部４３ａと、回転部材５０のアダプタ部分５１の内周に設けられた嵌合溝５１ａとが嵌合することにより、切換ハンドル１８及び回転部材５０は、切換弁４０の操作軸部４３に対して一体回転可能に固定される。
【００２６】
また、切換弁４０のケーシング４１に取り付けられた固定部材６０は、回転部材５０の本体部分５２の内側に収容された状態となる。そして、回転部材５０の本体部分５２の内周に設けられた干渉溝５２ａに固定部材６０の延設部６１ａの凸部６１ｂが干渉した状態となる。次に、切換ハンドル１８の外面側から切換ハンドル１８の底壁１８ｄの貫通孔１８ｅにネジ（図示せず）を挿入するとともに、切換弁４０の操作軸部４３のネジ孔４３ｂに螺合する。これにより、切換弁４０に対して切換ハンドル１８が抜け止めされた状態で固定される。
【００２７】
図８に示すように、節度感付与部材７０を介して切換弁４０に取り付けられた切換ハンドル１８を回転操作すると、回転部材５０の本体部分５２の内周に設けられた干渉溝５２ａと、固定部材６０の延設部６１ａの凸部６１ｂとが干渉することによって抵抗が生じる。したがって、回転部材５０の本体部分５２の内周に設けられた干渉溝５２ａと、固定部材６０の延設部６１ａの凸部６１ｂとによって、互いに干渉することでハンドルの回転動作に抵抗を付与する抵抗部が構成されている。そして、この抵抗部により、回転操作全体にカチカチとした節度感としてのノッチ感が生じる。
【００２８】
本実施形態の作用及び効果について説明する。
（１）切換ハンドル１８に取り付けられる回転部材５０について、抵抗部を構成する本体部分５２を、切換ハンドル１８において操作軸部４３が挿入される軸挿入部１８ｃと操作軸部４３との間に装着されるアダプタ部分５１と一体に設けている。一般に、水栓の種類によって切換ハンドル１８の形状が異なる場合であっても、軸挿入部１８ｃと操作軸部４３との間に装着されるアダプタ部材（所謂、ハンドル金具）の形状は共通であることが多い。そのため、アダプタ部材の代わりに回転部材５０を装着することにより、アダプタ部材と同様に、形状の異なるハンドルにも回転部材５０を取付けることができる。したがって、形状の異なるハンドルにも共通して適用可能となる。
【００２９】
（２）仮に、回転部材５０において、アダプタ部分５１と本体部分５２とが別体で構成され、それぞれが別々に切換ハンドル１８に取り付けられていると、アダプタ部分５１の回転軸と、本体部分５２の回転軸とが一致するように位置決めする必要があるため、構造が複雑になる。これに対し、本実施形態では、回転部材５０におけるアダプタ部分５１と本体部分５２とが一体に設けられているため、切換ハンドル１８の回転軸と回転部材５０の本体部分５２の回転軸を同一軸上とすることが容易になる。
【００３０】
（３）回転部材５０の本体部分５２は、大部分が切換ハンドル１８の収容空間Ｓ内に収容された状態となっているため、切換ハンドル１８の外観に影響を与え難くなっている。
（４）回転部材５０と固定部材６０とで構成される節度感付与部材７０は、水栓の外観を構成する部材ではないため、耐久性等の性質を重視した材料選択が可能である。また、仮に、抵抗部が摩耗した場合であっても、節度感付与部材７０のみを交換すればよいため、切換ハンドル１８自体を交換しなくてもよい。
【００３１】
（５）回転部材５０を、既存のアダプタ部材（ハンドル金具）と交換することで、既存の水栓にも、切換ハンドルを交換することなく、後付けで本実施形態の節度感付与部材７０を取付け可能である。
【００３２】
（６）節度感付与部材７０を取付けることによって、切換ハンドル１８に自転防止機能を付与することができる。
（７）回転部材５０の本体部分５２は、筒状に構成され、回転部材５０の抵抗部は、本体部分５２の内周に設けられている。したがって、本体部分５２の内周における所定の位置に抵抗部を選択的に設けることができる。
【００３３】
（８）回転部材５０の抵抗部は、本体部分５２の軸方向に沿う干渉溝５２ａで構成されている。したがって、切換ハンドル１８の回転方向に対して、溝部の延びる方向を直交させることができるため、抵抗部を一定の形状で繰り返し形成することが容易になる。
【００３４】
本実施形態は、以下のように変更して実施することができる。本実施形態及び以下の変更例は、技術的に矛盾しない範囲で互いに組み合わせて実施することができる。
・抵抗部として設けられる干渉溝は、回転部材５０の本体部分５２の内周に全周に亘って形成された構成に限定されず、本体部分５２の内周に部分的に形成されていてもよい。例えば、図９に示すように、本体部分５２の内周において、９０度の間隔をおいた４箇所に干渉溝５２ｂが形成されていてもよい。この場合、切換ハンドル１８を回転させると、９０度回転する毎にクリック感が付与され、特定位置に達したことを操作者に伝えることができる。すなわち、抵抗部の形状を適宜選択することにより、回転操作全体にカチカチとしたノッチ感や、特定位置に達したことを操作者に伝えるクリック感といった節度感を付与することができる。
【００３５】
・抵抗部として設けられる干渉溝は、回転部材５０の本体部分５２の軸方向に沿う形状に限定されず、固定部材６０の延設部６１ａの凸部６１ｂと干渉して抵抗が生じる任意の形状を採用することができる。固定部材６０の延設部６１ａの凸部６１ｂと干渉する形状としては、例えば、図１０に示すように、本体部分５２の内周に設けられた複数の凸部５２ｃであってもよい。また、複数の凸部５２ｃに代えて、複数の凹部であってもよく、凸部５２ｃと凹部が混在した形状であってもよい。
【００３６】
・本実施形態では、抵抗部として、回転部材５０の本体部分５２の内周に干渉溝５２ａが形成されるとともに、固定部材６０の筒状部６１に凸部６１ｂが形成されていたが、この態様に限定されない。例えば、図１１（ａ）に示すように、回転部材５０の本体部分５２の内周に延設部５２ｄを形成し、この延設部５２ｄの先端に凸部５２ｅが形成されるとともに、図１１（ｂ）に示すように、固定部材６０の筒状部６１の外周に溝部６１ｄが形成されていてもよい。さらに、この場合、図１２に示すように、固定部材６０が切換弁４０と一体に構成されていてもよい。すなわち、切換弁４０のケーシング４１における一端側の外周に形成された溝部４１ｃを、抵抗部として用いてもよい。
【００３７】
・回転部材５０側に設けられる抵抗部は、回転部材５０の本体部分５２の内周に形成された態様に限定されず、本体部分５２の外周に形成されていてもよい。例えば、図１３（ａ）、（ｂ）に示すように、回転部材５０の本体部分５２の外周に軸方向に沿う干渉溝５２ｆを設けるとともに、固定部材６０の筒状部６１から径方向外側に延びた状態で設けられた延設部６１ｅの先端が、回転部材５０の本体部分５２の外周側から干渉溝５２ｆに干渉するように構成してもよい。また、図１４に示すように、回転部材５０のアダプタ部分と本体部分５２とを接続する接続壁５３に、複数の凹部５２ｇを設けるとともに、固定部材６０の係止部６２に複数の凸部６２ａを設け、凹部５２ｇと凸部６２ａとを干渉させてもよい。さらに、この態様において、接続壁５３側に凸部６２ａが設けられ、係止部６２側に凹部５２ｇが設けられていてもよく、接続壁５３と係止部６２の両方に、凸部６２ａと凹部５２ｇが混在して設けられていてもよい。
【００３８】
・本実施形態では、図５（ｃ）に示すように、切換ハンドル１８の収容空間Ｓに、回転部材５０の本体部分５２の大部分が収容されていたが、収容空間Ｓに本体部分５２の全体が収容されていてもよい。収容空間Ｓに本体部分５２の全体が収容されることにより、回転部材５０をより目立たなくすることができる。また、切換ハンドル１８が収容空間Ｓを有してなく、本体部分５２の全てが切換ハンドル１８から露出した状態であってもよい。
【００３９】
・固定部材６０の筒状部６１に設けられる延設部６１ａの形状は、本実施形態の形状に限定されない。回転部材５０の本体部分５２に設けられる干渉溝５２ａと干渉して節度感を付与することができる形状を適宜採用することができる。例えば、図１５に示すように、固定部材６０の外周面に突起部材６１ｆを配置し、この突起部材６１ｆをコイルばね６１ｇによって径方向外側に付勢して、回転部材５０の本体部分５２の干渉溝５２ａと干渉するように構成してもよい。
【００４０】
・回転部材５０のアダプタ部分５１の外形は横断面六角形状に限定されない。切換ハンドル１８の軸挿入部１８ｃに挿入されて、切換ハンドル１８と一体回転可能であれば、六角形状以外に、多角形状や楕円形等の横断面を適宜採用することができる。
【００４１】
・本実施形態では、節度感付与部材は切換ハンドル１８に設けられていたが、切換ハンドル１８以外のハンドルに設けられていてもよい。切換ハンドル１８以外のハンドルとしては、例えば、温調ハンドル１７が挙げられる。
【００４２】
・本実施形態の節度感付与部材は、混合水栓に備えられていたが、混合水栓以外の水栓に備えられていてもよい。
上記実施形態及び別例から把握できる技術的思想について、以下に記載する。
【００４３】
（イ）第２部材の抵抗部は、筒状の本体部の一端側から本体部の周方向に沿って延びる延設部に設けられた凸部によって構成されている節度感付与部材。
【符号の説明】
【００４４】
１８…切換ハンドル（ハンドル）、１８ｃ…軸挿入部、４３…操作軸部、５０…回転部材（第１部材）、５１…アダプタ部分、５２…本体部分、６０…固定部材（第２部材）、７０…節度感付与部材。
【図１】
2019082063.tif 000003
【図２】
2019082063.tif 000004
【図３】
2019082063.tif 000005
【図４】
2019082063.tif 000006
【図５】
2019082063.tif 000007
【図６】
2019082063.tif 000008
【図７】
2019082063.tif 000009
【図８】
2019082063.tif 000010
【図９】
2019082063.tif 000011
【図１０】
2019082063.tif 000012
【図１１】
2019082063.tif 000013
【図１２】
2019082063.tif 000014
【図１３】
2019082063.tif 000015
【図１４】
2019082063.tif 000016
【図１５】
2019082063.tif 000017
【図１６】
2019082063.tif 000018